(57)【要約】【課題】ボルトやナットが存在する空間が狭い上に、その空間への入り口となる部分の空間も狭いような特異な狭所の場合であっても、容易な締め付け操作を可能にする。【解決手段】口部２２を有したレンチ１１であって、口部２２の一部から外周に向けて柄部２３が一体に突設された作用部材２１と、該作用部材２１の口部２２が口部２２の面方向において回転可能に柄部２３を枢着保持する操作部材３１とを備え、操作部材３１は、上記の柄部２３よりも長く形成されるとともに、上記作用部材２１と操作部材３１を相互に枢着する枢着部３１ａでは、作用部材２１の回転範囲が、作用部材２１を操作部材３１側に倒して操作部材３１との角度を鋭角にした位置から操作部材３１との角度を鈍角にする位置までに規制されたレンチ１１。【選択図】図１
2010005770.tif 000002
【特許請求の範囲】
【請求項１】
口部を有したレンチであって、
口部の一部から外周に向けて柄部が一体に突設された作用部材と、該作用部材の口部が口部の面方向において回転可能に柄部を枢着保持する操作部材とを備え、
該操作部材は、上記の柄部よりも長く形成されるとともに、
上記作用部材と操作部材を相互に枢着する枢着部には、作用部材の回転範囲を、作用部材を操作部材側に倒して操作部材との角度を鋭角にした位置から操作部材との角度を鈍角にする位置までとする規制部が形成された
レンチ。
【請求項２】
前記作用部材が操作部材に対して着脱可能であるとともに、
口部の大きさ及び／又は第１柄部の長さが異なる交換用の作用部材を備えた
請求項１に記載のレンチ。
【請求項３】
前記口部が、締結具に嵌合する嵌合部材と、該嵌合部材を回転可能に保持する本体部材とを有するとともに、
これら嵌合部材と本体部材との間に、嵌合部材を本体部材に対して一方向のみに相対回転を許容し、他方向に回転を許容しないラチェット機構を備えた
請求項１または請求項２に記載のレンチ。
【発明の詳細な説明】
【技術分野】
【０００１】
この発明は、ボルトやナットなどの締め付けを行うレンチに関し、より詳しくは、ボルトやナットが存在する空間が狭い上に、その空間への入り口となる部分の空間も狭いような特異な狭所でも使用できるようなレンチに関する。
【背景技術】
【０００２】
狭所で使用できるレンチとしては、たとえば下記特許文献１、２、３に開示されているように、口部の柄に対する角度を左右方向（口部の面（広がり）方向）に変更できるようにしたレンチがある。
【０００３】
具体的には、特許文献２に記載のレンチは、口部が柄に対して回動可能に保持され、相互間に設けられた歯車と歯止めで口部が左右方向に段階的に回転し、口部の向きが変わる構造である。
【０００４】
特許文献３に記載のレンチは、口部が柄に対して回動可能に保持され、柄の脇に設けられたボルトかなるストッパによって、口部の柄に対する角度が連続的に変更可能に構成されている。
【０００５】
特許文献４に記載されたレンチは、口部を左右方向に段階的に角度調節したときに大きなトルクを発揮できるようにしたもので、回動部分には、相互の位置関係を強固に固定するための複数の部材が組み込まれている。
【特許文献１】実開平４−２９３６４号公報
【特許文献２】実用新案登録第２５８４２２６号公報
【特許文献３】特開平６−２７００７０号公報
【発明の開示】
【発明が解決しようとする課題】
【０００６】
上記のように口部の左右方向での角度が変更できれば、ボルトやナットが存在する空間への入り口の関係上、一定の角度で固定されている場合に不可能な操作が可能となるのでよい。
【０００７】
しかし、特許文献１、２、３、いずれのレンチにおいても、ボルトやナットを締めたりするときの柄の回転角度と、この柄の操作によって回転する口部の回転角度は同一である。つまり、ボルトやナットが存在する空間が狭い上に、その空間への入り口となる部分の空間も狭いような特異な狭所の場合には、柄の太さなどとの関係にもよるが、一回の回転操作でボルトやナットを回転できる回転量は少なく、ボルトやナットの締め付け時には、何度も口部を嵌めたり外したりしなければならず、作業は煩雑である。
【０００８】
この点、口部をボルトやナットに対して何度も着脱する手間を省くべく、口部にラチェットを組み込んで、一方向のみに空回りするように構成することも考えられる。
【０００９】
しかし、この場合でも、柄を動かせる範囲が狭いときには、柄を何度も細かく動かさなければならないことに変わりはなく、作業性はありまよくない。
【００１０】
そこで、この発明は、ボルトやナットが存在する空間が狭い上に、その空間への入り口となる部分の空間も狭いような特異な狭所の場合であっても、その狭所やその近傍の形状等によって影響を受けることなく、比較的容易な締め付け操作を可能にすることを主たる目的とする。
【課題を解決するための手段】
【００１１】
そのための手段は、口部を有したレンチであって、口部の一部から外周に向けて柄部が一体に突設された作用部材と、該作用部材の口部が口部の面方向において回転可能に柄部を枢着保持する操作部材とを備え、これら作用部材と操作部材を相互に枢着する枢着部には、作用部材の回転範囲を、作用部材を操作部材側に倒して操作部材との角度を鋭角にした位置から操作部材との角度を鈍角にする位置までとする規制部が形成されたレンチである。
【００１２】
ボルトやナットを締め付けたり緩めたりするに際しては、作用部材の口部を操作部材側に倒した状態にしてから口部をボルトやナットに嵌合し、この状態のまま、操作部材を引っ張ればよい。すると、操作部材に対して鋭角であった作用部材は回転し、回転しきれば規制部の作用によってさらなる回転が阻止され、操作部材に対して鈍角となる。逆に、操作部材を押して作用部材を回転させることもできる。
【００１３】
上記のように作用部材が回転すると、作用部材の回転量に応じてボルトやナットが回転し、ボルトやナットの締め付けや緩めができる。
【００１４】
しかも、口部には柄部が設けられ、この柄部が操作部材に枢着されるとともに、操作部材と作用部材の角度が鋭角から鈍角までの角度になるので、操作部材に力を加えれば、てこの原理によって効果的に力を掛けることができる。また、締結具を中心にした回転操作を操作部材にさせる必要はないので、狭い空間でも比較的大きな締結具の回転量を得られる。
【発明の効果】
【００１５】
以上のように、この発明によれば、操作部材を、ボルトやナットを中心に回転させなくても、操作部材を引っ張ったり押したりすれば、作用部材を回転させ、ボルトやナットを回転できる。また、作用部材の回転可能量は、作用部材と操作部材の関係によって定まり、操作部材の回転量によって決まることはない。このため、ボルトやナットが存在する空間が狭い上に、その空間への入り口となる部分の空間も狭いような特異な狭所の場合であっても、比較的容易な締め付け操作が可能である。
【発明を実施するための最良の形態】
【００１６】
この発明を実施するための一形態を、以下図面を用いて説明する。  
図１は、レンチ１１の正面図、図２はその要部の断面図であり、これらの図に示すように、レンチ１１は作用部材２１と操作部材３１とからなる。
【００１７】
作用部材２１は、ボルト又はナットに嵌合する口部２２と、口部２２の一部から外周に向けて一体に突設された柄部２３とを有する。これらは１枚の金属板から形成され、口部２２は環状で、内周面に正１２角形の嵌合穴２２ａが形成され、外周縁は円形に形成されている。
【００１８】
また、柄部２３は口部の外周縁の一部から同じ厚さで短冊状に延びている。柄部２３の長さや形状は、使用する空間の形状や操作するボルト又はナットの位置によって、適宜設定される。図示例では、口部２２の直径よりも長く形成され、作用部材２１が回転するときの口部２２の位置を操作部材３１から若干離すようにしている。すなわち、この柄部２３の先端側の部分が、操作部材３１に枢着される。
【００１９】
枢着位置は、柄部２３の先端よりも若干基部側に寄った位置である。これは、柄部２３の先端を余らせて、回転範囲を規制するためである。
【００２０】
操作部材３１は丸棒状に形成され、その長さは、柄部２３の長さよりも長く設定されている。作用部材２１の枢着は、操作部材３１の先端の枢着部３１ａに形成された割溝３２になされる。割溝３２の底は平らではなく、芯部分に相当する部分が先端側に突出する断面略三角形状をなす山形に形成されている。そして枢着軸３３を中心にして作用部材２１が回転したときに作用部材２１の柄部２３における枢着軸３３より基部側の側面２３ｂが当たる鋭角当接面３５（図２の仮想線参照）と、柄部２３における枢着軸３３より先端側の側面２３ｂが当たる鈍角当接面３５（図２の実線参照）が、規制部の一部として左右に配設される。
【００２１】
また、枢着軸３３は頭部を有するピン３３ａで構成され、ピン３３ａの先端をかしめて、作用部材２１と操作部材３１が不分離に接続されている。
【００２２】
なお、図３（ａ）に示したように、枢着軸３３を段付きボルト３３ｂとナット３３ｃで構成し、作用部材２１を操作部材３１から着脱可能にするとよい。この場合には、図３（ｂ）に示したように、口部２２の大きさと柄部２３の長さ、またはこれらのうちのいずれか一方が異なる、交換用の複数の作用部材２１を備えると、使用箇所に応じて最適な作用部材２１を選択して使用できるので便利である。
【００２３】
また、口部２２が板状に形成されているので、ボルトの頭部やナットに嵌合したときにこれらから抜けてしまうおそれがある。このため、図４に示したように、口部２２には、ボルトの頭部やナットの上面に当接する抜け止め部２４を有するとよい。
【００２４】
図４（ａ）の抜け止め部２４は、口部２２の内周面から上方に若干立ち上がった短い筒部２４ａと、この筒部２４ａの上端から内側に張り出す張り出し部２４ｂとからなる。張り出し部２４ｂの内周部分には、円形のぬすみ２４ｃが形成され、ナットに嵌合したときにボルトが通るようにしている。
【００２５】
図４（ｂ）の抜け止め部２４は、横Ｌ字形に屈曲したピン状に形成され、口部の片面から嵌合穴２２ａの上を覆うように形成されている。
【００２６】
いずれの抜け止め部２４も、口部２２の面からあまり高く突出しないようにするのがよい。狭い空間での作業を可能にするためである。
【００２７】
また、操作性を向上するため、図５に示したように口部２２にラチェット機構２５を備えることもできる。すなわち、口部２２は、ボルト又はナットに勘合する環状の嵌合部材２６と、この嵌合部材２６を回転可能に保持する本体部材２７とを備え、この本体部材２７と嵌合部材２６との間に、嵌合部材２６の回転を規制するラチェット機構２５を介装する。
【００２８】
上記の嵌合部材２６は、内周面に正１２角形の嵌合穴２６ａが形成され、内周縁に厚さ方向両側に突出する突縁２６ｂを有する。この突縁２６ｂが本体部材２７内に嵌り、回転可能に保持される。また、嵌合部材２６の外周縁の全周には、周方向の一方に傾いた形状をなす三角形の多数の係止部２６ｃが形成されている。
【００２９】
本体部材２７は、同一形状のものが２枚用意され、これらを重ねて合わせて一体化し、操作部材３１に枢着される。
【００３０】
本体部材２７の平面視形状は、上記の作用部材２１と同様で、作用部材２１の口部２２に相当する部分に、環状の回転保持部２７ａが形成され、この回転保持部２７ａの一部から外周に向けて柄部２７ｂが一体に設けられている。回転保持部２７ａは、嵌合部材２６の突縁２６ｂを遊嵌する保持穴２７ｃを有する。そして、柄部２７ｂの回転保持部２７ａ側の位置には、係止爪２８が回転可能に保持されている。この係止爪２８は、嵌合部材２６が一方向に回転したときに回転を許容し、他方向に回転したときに嵌合部材２６の係止部２６ｃに係止して、回転を阻止する。
【００３１】
柄部２７ｂにおける係止爪を備えた部分よりも先端側は、係止爪２８と嵌合部材２６を介装したことによる厚さを吸収するための段差２７ｄを形成し、その先端側に、枢着軸を通す孔部２７ｅが形成されている。
【００３２】
以上のように構成されたレンチ１１は、ボルトやナットの締め付けや取り外しに使用されるが、特に、ボルトやナットが存在する空間が狭い上に、その空間への入り口となる部分の空間も狭いような特異な狭所で使用するのに好適である。
【００３３】
特異な狭所の例として、図６に示したような狭所Ｘを例に説明する。図６の狭所Ｘは、ボルトの頭部Ｙ（ナットの場合でも同じ。以下同様）が存在する空間Ｘａにおけるボルトの頭部Ｙの広がり方向の相対向する２方向が閉塞されており、ボルトの頭部Ｙの高さ方向である奥行きＤが狭く、ボルトの頭部Ｙが存在する空間Ｘａの開口部Ｘｂの幅Ｌも狭い。その上、その開口部Ｘｂに通じる連通部Ｘｃの幅Ｗも狭い。
【００３４】
具体的な例をあげると、図７のようなものがある。図７は、木造軸組構造の土台部分を示し、４本の土台５１の端面５１ａと側面５１ｂが接触しないように土台５１を接合する構造を示し、各土台５１の端面５１ａ間は、端面５１ａ間の空間に収まる接合金物５２で接合される。接合金物５２は、立方体のすべての辺部分を面取りしたような立体形状である。そして、周方向の四方に存在する４個の面５２ａの中心にボルト５３が保持される。このため、４本のボルト５３は、上記の図６に示したような特異な狭所Ｘに存在することと同じになる。
【００３５】
使用にあたっては、接合金物５２と土台５１の間の隙間から、レンチ１１の作用部材２１を差し込んで、作用部材２１と操作部材３１の角度が図８の仮想線で示したような鋭角によるようにして、作用部材２１の口部２２をボルト５３の頭部５３ａに嵌合する。
【００３６】
そしてこの状態のまま操作部材３１を引っ張り、図８に実線で示したように作用部材２１を回転させる。すると、図９に仮想線で示したような姿勢にあったボルト５３の頭部５３ａは、図９に実線で示したような姿勢になる。つまり、作用部材２１の回転角度αと同じ角度、ボルトの頭部５３ａを締まる方向に回転させることができる。なお、緩む方向に回転させるには、作用部材２１の口部２２上記の場合と反対に嵌合して、操作部材３１を引っ張ればよい。また、操作部材３１を引っ張るほか、押すことによってボルトの頭部５３ａを回転させるもよい。
【００３７】
これに対して、図１０に示したように、従来のレンチ１０１であれば、口部１０２と柄１０３の角度がどうであろうと、ボルトの頭部５３ａをα度回転させるには、柄１０３をα度回転しなければならない。これは、柄１０３を回転させる空間がない場合には、到底できないことである。
【００３８】
上記のように、操作部材３１を引っ張ったり押したりすればボルト５３の頭部５３ａを回転できるので、操作部材３１をボルト５３の頭部５３ａを中心に回転する場合とは異なり、狭い空間でも比較的大きな回転量を得られ、容易で効率のよい締め付け操作が可能である。
【００３９】
そのうえ、口部２２を有する作用部材２１には柄部２３が設けられており、この柄部２３が操作部材３１に枢着されるとともに、回転範囲が作用部材２１を操作部材３１に対して鋭角から鈍角にするように規制されているので、操作部材３１を引っ張ったり押したりして力を加えたときに操作部材３１と作用部材２１の角度が鋭角から鈍角までの適宜の角度になる。このため、てこの原理によって効果的に力を掛けることができる。
【００４０】
しかも、構成は簡素であり、大きな力に耐えることができる構造であるので、本締めも可能である。
【００４１】
さらに、枢着部分は、作用部材２１を操作部材３１に枢着する枢着軸３３と、作用部材２１の回転を規制する規制部としての基部側の側面２３ａ、先端側の側面２３ｂ、鋭角当接面３４及び鈍角当接面３５で構成している。このため、複数の部材を組み込んだ場合に比してよりコンパクトに構成でき、狭い空間での作業に好適である。
【００４２】
この発明の構成と、上記の一形態の構成との対応において、  
この発明の口部は、上記一形態における口部２２、回転保持部２７ａに対応し、  
以下同様に、  
柄部は、柄部２３，２７ｂに対応し、  
規制部は、基部側の側面２３ａ、先端側の側面２３ｂ、鋭角当接面３４及び鈍角当接面３５に対応するも、  
この発明は上記の構成のみに限定されるものではなく、その他の構成を採用することができる。
【００４３】
たとえば、口部は、環状のものではなく、一部が開いたオープンエンドの形態のものであるもよい。
【図面の簡単な説明】
【００４４】
【図１】レンチの正面図。
【図２】要部の断面図。
【図３】他の例に係るレンチの説明図。
【図４】他の例に係るレンチの作用部材の斜視図。
【図５】他の例に係るレンチの要部を示す断面図。
【図６】狭所の例を示す模式図。
【図７】狭所の具体例を示す斜視図。
【図８】作用状態を示す正面図。
【図９】作用状態を示す断面図。
【図１０】比較例を示す説明。
【符号の説明】
【００４５】
１１…レンチ
２１…作用部材
２２…口部
２３…柄部
２３ａ…基部側の側面
２３ｂ…先端側の側面
２５…ラチェット機構
２６…嵌合部材
２７…本体部材
２７ａ…回転保持部
２７ｂ…柄部
３１…操作部材
３１ａ…枢着部
３４…鋭角当接面
３５…鈍角当接面
【図１】
2010005770.tif 000003
【図２】
2010005770.tif 000004
【図３】
2010005770.tif 000005
【図４】
2010005770.tif 000006
【図５】
2010005770.tif 000007
【図６】
2010005770.tif 000008
【図７】
2010005770.tif 000009
【図８】
2010005770.tif 000010
【図９】
2010005770.tif 000011
【図１０】
2010005770.tif 000012